Podtech/llm-jp-corpus-v4-ja_patent huggingface dataset:
(57)【要約】      （修正有）【課題】奥行きのある収納スペースの奥にある収納物を移動させて収納物全体の観察を容易にする収納装置を提供する。。【解決手段】直方体の収納スペースの底面に円形、楕円または多角形の複数の収納容器４を設け且つ収納スペースの奥の２か所の角に凸、平面または凹部をもつコーナー台を設けるか、または奥の角のコーナー台の内面を壁とする収納トレイを設けて手前の収納容器を押すことにより、コーナー面にて収納容器４が方向を変えて収納スペースの奥から手前に収納容器４が移動する。【選択図】図３
2017009271.tif 000002
【特許請求の範囲】
【請求項１】
直方体の収納スペースの底面に置く円形、楕円または多角形の複数の収納容器を設け且つ  奥の２か所の角に凸、平面または凹部をもつコーナー台を設け  手前の収納容器を押すことにより角のコーナー台にて収納容器が方向を変えて移動することができることを特徴とする収納装置。
【請求項２】
請求項１のコーナー台の内側面を壁とするトレイを設け  底面に置く円形、楕円または多角形の収納容器を設けた収納装置。
【請求項３】
請求項２のトレイ中央にトレイ内収納部を設けた収納装置。
【発明の詳細な説明】
【技術分野】
【０００１】本発明は、奥行きのある収納スペースの収納物が奥から手前に移動できる収納装置に関するものである。【０００２】  例えば  冷蔵庫内の棚の奥に入れた食品が前の食品に視野を妨げられて取り出し難くなり賞味期限が切れてしまうことがある。そこで、文献１、文献２のように冷蔵庫内の棚装置を可動式とし、奥に収納した貯蔵物を手前に移動させて取り出しやすくしたものがある。  しかし、回転構造を実現するため棚が複雑となり  クリーニング時手が届かない部位があり清潔面に問題点がある。
【先行技術文献】
【特許文献】
【０００３】
【特許文献１】特開平１０−１５３３８２
【特許文献２】特開２０１１−１２２７３７
【発明の概要】
【発明が解決しようとする課題】
【０００４】  奥行きのある収納スペースの奥にある収納物を取り出すため  手前の収納物を一度収納スペースから移動させる必要がありに手間取ることがある。本発明は以上の問題を解決しようとするものである。
【課題を解決するための手段】
【０００５】  直方体の収納スペースの底面に置く  円形、楕円または多角形の複数の収納容器を設け且つ  図１の様に直方体の収納スペースの奥の２か所の角に凸、平面または凹部をもつコーナー台を設けるか  または図２の様に図１の直方体の収納スペースの奥の角のコーナー台の内面を壁とする収納スペースを設ける。図１図２とも収納スペースの上面または手前の面または両面が無い場合を想定している。以上を特徴とする収納装置についてである。
【発明の効果】
【０００６】  手前の収納容器を押すことにより  奥の収納容器がコーナー面にて方向を変えて横に移動し  さらに横の収納容器を押しもう一つのコーナー面にて方向を変えて奥から手前に移動することにより  収納スペース内を収納容器が回転移動する。奥行きのある収納スペースの場合  奥の収納容器が手前に出てくるため収納物全体の観察が容易である。
【図面の簡単な説明】
【０００７】
【図１】本発明のコーナー台を示した斜視図である。
【図２】本発明の図１のコーナー台の内面を面とした収納容器の斜視図である。
【図３】本発明の冷蔵庫の棚に置く斜視図である。
【図４】図３の正面図である
【図５】トレイ上にトレイ内収納部を設けて収納容器を置いた正面図である。
【図６】図５の収納容器を除いた斜視図である。
【発明を実施するための形態】
【００８】  基本的な形態は  図１にて直方体の収納スペースの奥の角２か所にコーナー台を置いて示したが  コーナー台が収納容器に接する部位が  凸、平面または凹部でも良い。収納スペースの底面上に  円形  楕円形または多角形の複数の収納容器を設ける。図２には  図１のコーナー台の内面をコーナー面とした収納スペースを示してある。
【００９】    図１では４個の収納容器が示してあるが左手前の収納容器を押したときの奥の収納容器はコーナー台で滑り奥の面に当たり横に動く力のとなり右奥の収納容器はコーナー面にて手前に動く力となり  収納容器は奥から手前に移動する。図１図２では収納容器は４個であるが小さくして５個６個でもよい。
【実施例】
【０１０】  本発明の実施例を一般の収納棚と  冷蔵庫における収納棚において  図１〜６に基づき説明する。
図１は一般の収納棚の場合であるが  直方体の収納スペースの奥の角にコーナー台を置き底部に円形の収納容器を４個置いてある。手前の面に窓がある場合  底面の滑りが悪いときは底面に滑りの良いシートを敷く必要がある。【０１１】  図３には冷蔵庫で使用するとき実施例を示してあるが  図２の側面を低くした収納スペースをトレイとして作成し該トレイ上に円形の収納容器が５個置いてある。図４は上から見た正面図であるが奥のコーナー面は平面としてある。図５は  収納容器を小さくしたときに中央にトレイ内収納部を設けて収納容器を置いた正面図であり  図６は収納容器を除いた斜視図である。収納容器は軽く滑り易い方が移動し易く  また透明のほうが収納物が観察し易い。
【産業上の利用可能性】
【０１２】    開口部が手前にあり奥まった収納スペースの場合  奥の小物がよく見えない場合が多い。奥の角に置くコーナー台２個  収納容器数個  および底面に置く滑りシートをセットにして使用すると  奥の収納容器が収納スペースの底面上で手前に移動し易く収納物を観察し易くなり  収納スペースの有効利用が円滑にできる。または  このような収納スペースに図３図４のようなトレイを置きその上に収納容器を置いても収納容器の移動により収納物の観察が容易となる。
【符号の説明】
【０１３】  １  収納スペース
２  コーナー台
３  コーナー面
４  収納容器
５  トレイ
６  トレイ内収納部
【図１】
2017009271.tif 000003
【図２】
2017009271.tif 000004
【図３】
2017009271.tif 000005
【図４】
2017009271.tif 000006
【図５】
2017009271.tif 000007
【図６】
2017009271.tif 000008
(57)【要約】      （修正有）【課題】金電極上に固定化したフェロセン修飾DNAアプタマの電気化学信号を得る方法を提供する。【解決手段】3’-末端がフェロセンによって修飾されたDNAアプタマを、5'-末端のチオール基および金基板との相互作用によって固定化する。固定化後に、電極を電解液（バッファー）で満たした状態で5分間70度で加熱、15分間室温で冷却することによって、3'-末端に修飾したフェロセン由来の電気化学信号が発生する。【選択図】図１
2017009297.tif 000002
【特許請求の範囲】
【請求項１】
金電極上に固定化したフェロセン修飾DNAアプタマの電気化学信号を得る方法であって、以下の工程を具備する：
（ａ） ＤＮＡアプタマにフェロセンおよびチオール基を修飾する工程
（ｂ） 金電極の表面をプラズマアッシングによって洗浄する工程
（ｃ） バッファーにフェロセン修飾ＤＮＡアプタマを溶解させ、固定化溶液を用意する工程
（ｄ） 固定化溶液を金基板に滴下し、ＤＮＡアプタマを固定化する工程
（ｅ） バッファー中で加熱、冷却し、固定化されたDNAアプタマの二重鎖を一本鎖に分離する工程
（ｆ） 作用極、対極、参照極およびバッファーを含む測定系を準備する工程
（ｇ） ポテンショスタットを用いて、作用極に電位を印加し、フェロセンの酸化還元反応を進行させる工程。
【発明の詳細な説明】
【技術分野】
【０００１】
本発明は電気化学測定方法に関する。
【背景技術】
【０００２】
特許文献１では、一本鎖核酸を得るために二重鎖核酸を加熱、冷却する方法が開示されている。
【先行技術文献】
【特許文献】
【０００３】
【特許文献１】国際公開第２０１３／０２４７６３号
【特許文献２】特開２０１３−２５３８２５号公報
【非特許文献】
【０００４】
【非特許文献１】Ｊ．  Ａｍ．  Ｃｈｅｍ．  Ｓｏｃ．  １３１  （２００９）  ４２６２
【発明の概要】
【発明が解決しようとする課題】
【０００５】
金基板上に、3’-末端に電気化学活性種（フェロセン）、5’-末端にチオール基を修飾したDNAアプタマを「Au-S」相互作用によって固定化させた際、固定化直後にそのまま利用すると、固定化工程において形成された分子内、分子間二重鎖の阻害によって、フェロセン由来の電気化学信号が測定できない。
【課題を解決するための手段】
【０００６】
本発明は金電極上に固定化したフェロセン修飾DNAアプタマの電気化学信号を得る方法であって、以下の工程を具備する：
（ａ） ＤＮＡアプタマにフェロセンおよびチオール基を修飾する工程
（ｂ） 金電極の表面をプラズマアッシングによって洗浄する工程
（ｃ） バッファーにフェロセン修飾ＤＮＡアプタマを溶解させ、固定化溶液を用意する工程
（ｄ） 固定化溶液を金基板に滴下し、ＤＮＡアプタマを固定化する工程
（ｅ） バッファー中で加熱、冷却し、固定化されたDNAアプタマの二重鎖を一本鎖に分離する工程
（ｆ） 作用極、対極、参照極およびバッファーを含む測定系を準備する工程
（ｇ） ポテンショスタットを用いて、作用極に電位を印加し、フェロセンの酸化還元反応を進行させる工程。
【発明の効果】
【０００７】
本発明によれば、金基板上に、3’-末端に電気化学活性種（フェロセン）、5’-末端にチオール基を修飾したDNAアプタマを「Au-S」相互作用によって固定化させた後、フェロセン由来の電気化学信号を測定できる。
【図面の簡単な説明】
【０００８】
【図１】本発明の概略図
【図２】実施例において用いられた電気化学セルの概略図
【図３】実施例において得られた電流電圧特性のグラフ
【発明を実施するための形態】
【０００９】
以下、本発明を詳細に説明する。
【００１０】
3’-末端がフェロセンによって修飾されたDNAアプタマを、5'-末端のチオール基および金基板との相互作用によって固定化する。固定化後に、電極を電解液（バッファー）で満たした状態で5分間70度で加熱、15分間室温で冷却する（図１参照）ことによって、3'-末端に修飾したフェロセン由来の電気化学信号が発生する。
【００１１】
詳細は、特許文献２の段落番号００１９、００２０、および００５４を参照されたい。
【００１２】
（実施例）
本実施例では、非特許文献１においてCocaine Binding Aptamerとして開示されたＤＮＡアプタマが使用された。
【００１３】
図２は、測定に用いた三電極式電気化学セル。作用極：DNAアプタマが固定化された金電極（φ7.8mm）、対極：Pt-coil、参照極：Ag/AgCl（sat. KClaq）を示す。
【００１４】
図３は、ＤＮＡアプタマ固定化後の加熱処理前（点線）、処理後（実線）のCyclic voltammogram, Differential Pulse Voltammogram, Square wave voltammogramを示す。加熱前には見られなかったフェロセン由来の電気化学信号が加熱後に確認された。
【産業上の利用可能性】
【００１５】
本発明により電気化学的測定方法が提供される。
【図１】
2017009297.tif 000003
【図２】
2017009297.tif 000004
【図３】
2017009297.tif 000005
(57)【要約】      （修正有）【課題】使用環境温度にかかわらず適切な状態で用いることが可能な軸受装置を提供する。【解決手段】ハウジング１１と、軸１２と、軸１２に外嵌される内輪１４と、ハウジング１１に内嵌される外輪１５と、内輪１４と外輪１５との間に転動可能に配置される転動体１６とを有した転がり軸受１３と、を有し、ハウジング１１の材料は、軸受１３を構成する外輪１５よりも熱膨張係数が大きく、ハウジング１１の内周面は、軸方向の断面形状が非真円形である。【選択図】図１
2017101730.tif 000002
【特許請求の範囲】
【請求項１】
軸と、ハウジングと、前記軸に外嵌される内輪と、前記ハウジングに内嵌される外輪と、前記内輪と前記外輪との間に転動可能に配置される転動体とを有した転がり軸受と、を有し、
前記ハウジングの材料は、前記軸受の前記外輪よりも熱膨張係数が大きく、
前記ハウジングの内周面は、軸方向の断面形状が非真円形であることを特徴とする軸受装置。
【請求項２】
前記ハウジングの内周面は、前記断面形状が三角形の各頂部を丸めたトライローブ形であることを特徴とする請求項１に記載の軸受装置。
【請求項３】
前記ハウジングの内周面は、前記断面形状が楕円形であることを特徴とする請求項１に記載の軸受装置。
【発明の詳細な説明】
【技術分野】
【０００１】
本発明は、軸受装置に関する。
【背景技術】
【０００２】
従来、航空機用ギアボックスでは、軽量化のため、ハウジングにアルミニウムやマグネシウム等の材料が使用されている。これらの材質は、ギアボックスで使用される軸受材料（例えば、鋼）よりも熱膨張係数が大きい。
【０００３】
定格運転時のギアボックス内の温度は１００〜２００℃程度であるが、寒冷地や高度上空ではギアボックス周辺の温度はマイナス数十℃となる。このため、定格運転時、すなわち高温時に、ラジアルすきまや、外輪とハウジングとの嵌め合いが適正となるように設定すると、低温時には軸受とハウジングとの熱膨張率差により、外輪とハウジングの嵌め合いが締まり、軸受内部のすきまが減少する。
【０００４】
また、低温環境でのエンジンスタート時に、ハウジングが温まっていない状態で、軸受の回転数を上げた場合、すきまの詰まり（負すきま）により、軸受に焼付き損傷が生じるおそれがある。十分な暖気運転を行い、ハウジング温度が上昇した後に軸受回転数を上げれば負すきまは回避されるが、長時間の暖機運転はコストがかかるため好ましくない。
【０００５】
そこで従来、外径面もしくは内径面にころ長さ以上の逃げ溝を設けて半径方向に変形可能に構成することにより、運転時の負すきまを回避する軸受装置が知られている（例えば、特許文献１参照）。
【先行技術文献】
【特許文献】
【０００６】
【特許文献１】特開２０００−２２４８号公報
【発明の概要】
【発明が解決しようとする課題】
【０００７】
しかしながら、従来の軸受装置では、軌道輪を逃げ溝によって薄肉化することにより、軌道輪が弾性変形（たわみ変形）して温度影響による負すきまは回避できるものの、軌道輪の変形に伴い軸受性能が悪化するおそれがあった。
【０００８】
本発明は、上記課題に鑑みてなされたものであり、使用環境温度にかかわらず適切な状態で用いることが可能な軸受装置を提供することを目的とする。
【課題を解決するための手段】
【０００９】
本発明に係る軸受装置は、軸と、ハウジングと、前記軸に外嵌される内輪と、前記ハウジングに内嵌される外輪と、前記内輪と前記外輪との間に転動可能に配置される転動体とを有した転がり軸受と、を有し、前記ハウジングの材料は、前記軸受の前記外輪よりも熱膨張係数が大きく、前記ハウジングの内周面は、軸方向の断面形状が非真円形である。
【００１０】
本発明に係る軸受装置において、前記ハウジングの内周面は、前記断面形状が三角形の各頂部を丸めたトライローブ形であることが好ましい。
【００１１】
本発明に係る軸受装置において、前記ハウジングの内周面は、前記断面形状が楕円形であることが好ましい。
【発明の効果】
【００１２】
本発明によれば、使用環境温度にかかわらず適切な状態で用いることが可能な軸受装置を提供することができる。
【図面の簡単な説明】
【００１３】
【図１】本実施形態に係る軸受装置を説明する図であり、（ａ）は側面図、（ｂ）は図１（ａ）中の矢印Ｉ−Ｉに沿った断面図である。
【図２】他の本実施形態に係る軸受装置を説明する図であり、（ａ）は側面図、（ｂ）は図２（ａ）中の矢印II−IIに沿った断面図である。
【発明を実施するための形態】
【００１４】
以下、実施形態について、図面を参照しながら説明する。本実施形態に係る軸受装置１０は、図１に示すように、例えば略筒状のハウジング１１と、ハウジング１１に挿通され同軸に配置された軸１２と、ハウジング１１の内周面と軸１２の外周面との間に取り付けられ、ハウジング１１に対して軸１２を回転自在に支持する転がり軸受１３とを備えている。
【００１５】
転がり軸受１３として、軸１２に外嵌される内輪１４と、ハウジングに１１に内嵌される外輪１５と、内輪１４と外輪１５との間に転動可能に配置される複数の転動体１６とを備える、円筒ころ軸受を使用している。
【００１６】
なお、転がり軸受１３は、保持器やシール装置を備えていてもよいし、備えていなくてもよい。また、転がり軸受の種類は円筒ころ軸受に限定されるものではなく、円筒ころ軸受以外の様々な種類の転がり軸受を使用することができる。例えば、深溝玉軸受、アンギュラ玉軸受、自動調心玉軸受、円すいころ軸受、針状ころ軸受、自動調心ころ軸受等のラジアル形の転がり軸受である。
【００１７】
このような転がり軸受１３において、ハウジング１１の材料に、転がり軸受１３の材料である鋼よりも熱膨張率が大きい材料（アルミニウム、マグネシウム等）が使われている場合、転がり軸受１３の周辺温度が低い時には、ハウジング１１と外輪１５との間のしめしろが大きくなり、転がり軸受１３の内部のすきまが詰まり、焼付きを生じるおそれがある。
【００１８】
そこで、本実施形態では、ハウジング１１の内周面を、軸方向の断面形状が非真円形となるように形成した。
【００１９】
この構成により、ハウジング１１の嵌合による外輪１５の締め付けを緩和し、ハウジング１１と軸受の外輪１５との間におけるガタを増加させずに、低温時のハウジング１１の縮径による転がり軸受１３の内部のすきまの減少を防ぐことができる。
【００２０】
なお、ハウジング１１の内周面１１ａの軸方向の断面形状は、図１に示すように、三角形の各頂部を丸めたトライローブ形であってもよい。
【００２１】
また、ハウジング１１の内周面１１ｂの軸方向の断面形状は、図２に示すように、楕円形であってもよい。
【００２２】
ここまで説明してきた本実施形態は、本発明の一実施形態にすぎず、何等これらに限定して解釈されるものではなく、本発明の範囲内で適宜設定変更可能である。
【符号の説明】
【００２３】
１０  軸受装置
１１  ハウジング
１１ａ  ハウジング内周面（トライローブ形）
１１ｂ  ハウジング内周面（楕円形）
１２  軸
１３  転がり軸受
１４  内輪
１５  外輪
１６  転動体
【図１】
2017101730.tif 000003
【図２】
2017101730.tif 000004
(57)【要約】      （修正有）【課題】金属撚線を使用する造形において、盆栽の幹や枝の荒皮感や古さと複雑な曲面の表現を容易にする方法を提供する。【解決手段】材料を細かく切断してペレット状にしたものを曲線で一つずつ縦、横、斜め方向に溶接にてつなぎ合わせる、複雑な曲面は長さの短い部品や斜めに切断した部品をいろいろ組み合わせて仮接合で造形する。次に肉盛溶接を全面に施す、どんな形や曲面も容易に造形できる。枝元は先端に針金を溶接にて取り付けた材料を使用する。枝と葉が一体になったものを枝元の針金に沿わせて盆栽成形用銅線を螺旋状に巻き付けて固定する。【選択図】図１０
2017101368.tif 000002
【特許請求の範囲】
【請求項１】
材料を細かく切断し、ペレット状にしたものを一つずつ溶接にて仮接合して形が出来上がると肉盛溶接を施して盆栽の幹と枝を製作する方法
【請求項２】
材料の先端に針金を溶接にて取り付けて針金に枝を沿わせて盆栽成形用銅線を螺旋状に巻きつけて針金に枝、葉を固定する方法
【発明の詳細な説明】
【技術分野】
【０００１】この発明は異型鉄筋・金属丸棒・金属管など（以下材料）を細かく切断してペレット状にしたものを一つずつ溶接にて接合する造形盆栽の製作方法に関するものである。
【背景技術】
【０００２】従来、金属撚線を適当な長さに切断したものを数百本束ねて曲線を作り幹と枝を造形するものである。
参考文献  特開平９−５９８１５号
【先行技術文献】
【特許文献】
【０００３】
【特許文献１】特開平９−５９８１５号公報
【発明の概要】
【発明が解決しようとする課題】
【０００４】これは、次のような欠点があった。
造形盆栽の幹や枝の荒皮感や古さと複雑な曲面の表現・製作は困難である。
【課題を解決するための手段】
【０００５】材料を細かく切断した数種類のペレット状にしたもの［図１］を使用することによって困難だった部分の表現・製作が容易になるのである。
【発明の効果】
【０００６】この発明を用いる事によって、日本古来の伝統文化である盆栽を造形するに当たり従来の作品より本物感と品質が向上するものである。長年持ち込んで幹や枝に錆が生じれば古さが増す、日光や水分が不必要なので何処でも鑑賞出来るものである。
【図面の簡単な説明】
【０００７】
【図１】発明の部品写真である。
【図２】発明の仮接合写真である。
【図３】発明の仮接合写真である。
【図４】発明の肉盛溶接写真である。
【図５】発明の肉盛溶接写真である。
【図６】発明の枝元写真である。
【図７】枝、葉の写真である。
【図８】発明の枝、葉固定写真である。
【図９】発明の枝、葉固定写真である。
【図１０】発明の完成写真である。
【図１１】発明の完成写真である。
【発明を実施するための形態】
【０００８】以下、本発明を実施するための形態について説明する。
材料を細かく切断し、ペレット状にしたもの［図１］を曲線で一つずつ縦、横、斜め方向に溶接にてつなぎ合わせる、複雑な曲面は長さの短い部品や斜めに切断した部品をいろいろ組み合わせて仮接合で造形する［図２］［図３］。次に肉盛溶接を全面に施す［図４］［図５］、鉢も金属で製作する。枝元は先端に針金を溶接にて取り付けた材料［図６］を使用する。枝と葉が一体になったもの［図７］を枝元の針金に沿わせて盆栽成形用銅線で螺旋状に巻き付けて固定する［図８］［図９］。鉢の上面に作り物の苔又は用土を施す、葉と枝の一部は購入品である［図７］。
【符号の説明】
【０００９】
【図１】
2017101368.tif 000003
【図２】
2017101368.tif 000004
【図３】
2017101368.tif 000005
【図４】
2017101368.tif 000006
【図５】
2017101368.tif 000007
【図６】
2017101368.tif 000008
【図７】
2017101368.tif 000009
【図８】
2017101368.tif 000010
【図９】
2017101368.tif 000011
【図１０】
2017101368.tif 000012
【図１１】
2017101368.tif 000013
(57)【要約】【課題】鋳抜きピンの交換時間を削減する。【解決手段】鋳造装置は、鋳抜きピン配置孔３１が形成された金型１０と、鋳抜きピン４０と、鋳抜きピン４０を保持する保持手段５０と、を備える。鋳抜きピン４０は、キャビティに配置される先端部４１と、鋳抜きピン配置孔３１に配置される外径が略均一な基部４２であって吸引穴４４が形成された後端部４３を含む基部４２と、を有する。保持手段５０は、吸引穴４４から真空引きすることで鋳抜きピン４０が金型１０からキャビティ側に抜けないように保持する。【選択図】図１
2017064776.tif 000002
【特許請求の範囲】
【請求項１】
鋳抜きピン配置孔が形成された金型と、
キャビティに配置される先端部と、前記鋳抜きピン配置孔に配置される外径が略均一な基部であって吸引穴が形成された後端部を含む基部と、を有する鋳抜きピンと、
前記吸引穴から真空引きすることで前記鋳抜きピンが前記金型からキャビティ側に抜けないように保持する保持手段と、
を備える
鋳造装置。
【発明の詳細な説明】
【技術分野】
【０００１】
本発明は鋳造装置に関する。
【背景技術】
【０００２】
鋳造装置の金型に組み込まれる鋳抜きピンが知られている。金型は、主型と、入子とを備える。入子には、鋳抜きピンが配置される鋳抜きピン配置孔が形成されている。鋳抜きピンは、キャビティに配置される先端部と、フランジが形成された後端部とを備える。鋳造製品の離型時には離型抵抗により鋳抜きピンをキャビティ側に引き抜く力が作用するが、フランジにより鋳抜きピンがキャビティ側に抜けることが防止される。フランジ付きの鋳抜きピンは、例えば、特許文献１に開示されている。
【先行技術文献】
【特許文献】
【０００３】
【特許文献１】特開２０１２−０９１１７６号公報
【発明の概要】
【発明が解決しようとする課題】
【０００４】
しかしながら、フランジ付きの鋳抜きピンを交換するためには、金型を鋳造装置から外した後、金型を入子と主型に分解する必要がある。そのため、鋳抜きピンの交換に時間がかかってしまう。
【０００５】
したがって、本発明は、鋳抜きピンの交換時間を削減するものである。
【課題を解決するための手段】
【０００６】
本発明の一態様による鋳造装置は、鋳抜きピン配置孔が形成された金型と、鋳抜きピンと、前記鋳抜きピンを保持する保持手段と、を備える。前記鋳抜きピンは、キャビティに配置される先端部と、前記鋳抜きピン配置孔に配置される外径が略均一な基部であって吸引穴が形成された後端部を含む基部と、を有する。前記保持手段は、前記吸引穴から真空引きすることで前記鋳抜きピンが前記金型からキャビティ側に抜けないように保持する。
【発明の効果】
【０００７】
本発明によれば、鋳抜きピンの交換時間が削減される。
【図面の簡単な説明】
【０００８】
【図１】実施の形態１にかかる鋳造装置の断面図である。
【発明を実施するための形態】
【０００９】
実施の形態１
以下、図面を参照して本発明の実施の形態について説明する。
図１を参照して、実施の形態１にかかる鋳造装置を説明する。鋳造装置は、金型１０と、金型１０に組み込まれた鋳抜きピン４０と、鋳抜きピン４０がキャビティ側に抜けないように保持する保持手段５０とを備える。金型１０は、主型２０と、入子３０とを備える。主型２０は、表面２１と、表面２１の反対側の裏面２２とを備える。主型２０には、表面２１に開口した凹部２３と、凹部２３の底から裏面２２に達する配管挿入孔２４とが形成されている。入子３０は、凹部２３に配置される。入子３０には、貫通孔としての鋳抜きピン配置孔３１が形成されている。鋳抜きピン配置孔３１は、配管挿入孔２４に接続される。
【００１０】
鋳抜きピン４０は、キャビティに配置される先端部４１と、鋳抜きピン配置孔３１に配置される基部４２とを備える。基部４２は、吸引穴４４が形成された後端部４３を含む。基部４２の外径は、鋳抜きピン４０の長手方向に略均一である。吸引穴４４は、配管挿入孔２４に接続される。基部４２の外径は配管挿入孔２４の内径より大きく、吸引穴４４の内径は配管挿入孔２４の内径より小さい。保持手段５０は、図示されない真空設備と、真空設備に接続された真空配管６０とを備える。真空配管６０は、配管挿入孔２４から吸引穴４４に挿入される。真空配管６０における吸引穴４４に挿入される部分には、シール材６１が設けられている。シール材６１は、例えば、真空配管６０の外周に形成された環状の溝に配置されるＯリングである。
【００１１】
保持手段５０は、吸引穴４４から真空引きすることで、鋳抜きピン４０が金型１０からキャビティ側に抜けないように保持する。鋳造工程において吸引穴４４から真空引きすることで、鋳造製品の離型時の離型抵抗により鋳抜きピン４０がキャビティ側に抜けることが防止される。
【００１２】
ところで、鋳抜きピン４０が劣化した場合、鋳抜きピン４０を交換する必要がある。そのときは、真空引きを停止することで、キャビティ側から容易に鋳抜きピン４０を交換することができる。したがって、金型１０を鋳造装置から外すことなく、金型１０を入子３０と主型２０に分解することなく、鋳抜きピン４０を交換することができる。すなわち、鋳抜きピン４０の交換時間が削減される。
【符号の説明】
【００１３】
１０  金型
２０  主型
３０  入子
３１  鋳抜きピン配置孔
４０  鋳抜きピン
４１  先端部
４２  基部
４３  後端部
４４  吸引穴
５０  保持手段
【図１】
2017064776.tif 000003
(57)【要約】【課題】床下収納庫を利用し、ボールが平面を転がり、ホールカップに転がり落ちるという実際のグリーンに近い環境で練習ができるパター練習用マットを提供する。【解決手段】床下収納庫（４）のふた板と同じ大きさ、厚みのふた板（２）に円形の穴と、ホールカップ（３）を設け、同じ大きさの穴を設けたマット（１）を重ねたパター練習用マットを特徴とする。【選択図】図１
2017064343.tif 000002
【特許請求の範囲】
【請求項１】
床下収納庫（４）のふた板と同じ大きさ、厚みのふた板（２）に円形の穴とホールカップ（３）を設け、同じ大きさの穴を設けたマット（１）を重ねたパター練習用マット。
【発明の詳細な説明】
【技術分野】
【０００１】この発明は床下収納庫のふた部分にホールカップとパターマットをつけたパター練習用マットに関するものである。
【背景技術】
【０００２】従来のパター練習用マットはホールカップの手前で登り坂になっている。
【先行技術文献】
【特許文献】
【０００３】
【特許文献１】
【発明の概要】
【発明が解決しようとする課題】
【０００４】  従来のパター練習用マットはホールカップの手前で登り坂になっている。実際のグリーンでカップの手前で、こんな急激に登っていることはない。本発明は実際のグリーン同様に平面をボールが転がっていき、平面に穴が開いているホールカップにボールがポコンと入るという、実際のグリーンに近い状況のパター練習用マットである。
【課題を解決するための手段】
【０００５】  一般的な住宅用床下収納庫（４）のふたと同じ大きさ、厚みのふた板（２）の中央部分に、直径１０，８ｍｍの円形の穴を開ける。ホールカップ（３）を穴に固定する。直径１０，８ｍｍの円形の穴の開いたパターマット（１）を穴の位置があうように重ねる。
本発明は、以上の構成よりなるパター練習用マットである
【発明の効果】
【０００６】  平面上をボールが転がり、開いているホールカップに転がり落ちるという実際のグリーンに近い環境でパター練習ができる。床下収納庫としての機能も備えている。
【図面の簡単な説明】
【０００７】
【図１】  本製品の斜視図である。
【図２】  本製品の断面図である。
【発明を実施するための形態】
【０００８】  以下、本発明を実施するための形態について説明する。
床下収納庫（４）のふたと同じ大きさ、厚みのふた板（２）の中央に、直径１０，８ｍｍの円形の穴を開ける。ホールカップ（３）を穴に固定する。これを使用するときは直径１０，８ｍｍの円形の穴の開いたパターマット（１）をふた板の穴の位置があうように重ねればよい。本発明は以上のような構造である。
【符号の説明】
【０００９】１        パターマット
２        床下収納庫ふた板
３        ホールカップ
４        床下収納庫
【図１】
2017064343.tif 000003
【図２】
2017064343.tif 000004
(57)【要約】【課題】歯と歯の隙間、又インプラントの方式にも拠るがインププラントによりできる構造上の歯と歯茎の間の隙間などに挟まる食べかす、食べ物のかけら、歯と歯の隙間の食べかす、汚れなどを除去する手段を提供する【解決手段】風呂のシャワーホースの先端に、ワンタッチコネクターを設け、このコネクターに先端部より水を噴出する構造を備えた接続部のコネクター接続部分を繋ぎ、シャワーホースのバルブを開けて、水を噴出させその水流により、歯と歯の間に挟まる食べかす、またインプラントの方式に拠り出来る構造上の、歯と歯茎の隙間等の食べ物の破片、汚れ、各歯と歯の間の隙間の食べかす、汚れなどを流し落し清潔を保つことを特徴とする、歯間洗浄機能付風呂シャワー。【選択図】図１
2017064342.tif 000002
【特許請求の範囲】
【請求項１】
風呂などのシャワーホースの流水さき、先端部［１］にワンタッチコネクター［２］を取り付け、これに先端より水などが噴出する構造を有するコネクター取り付け部分（３）を繋げ、使用する歯間洗浄器具である。
【請求項２】
風呂などのシャワーホースを、その他のホースに置き換えて、水道の蛇口部などに取り付けた、請求工１の歯間洗浄機能付き風呂シャワー
【発明の詳細な説明】
【発明の詳細な説明】
【技術分野】
【０００１】本発明は風呂のシャワーの先の部分を改良し、歯と歯の隙間、又インプラントの方式にも拠るが、インプラントの構造上できる歯の部分と歯茎の間など隙間に付いた、食べかす、汚れなどを洗い流すことに関するものである。
【背景技術】
【０００２】従来は歯の寿命、健康を保つために歯ブラシ等を使用しているのだが、歯と歯の間の隙間、またインプラントの方式にもよるが、構造上出来る歯と歯茎の隙間など、食べる度に付着する汚れ、挟まる食べかすなど、歯ブラシだけでは十分に落としきれず、歯間ブラシ、爪楊枝等も併せて、それぞれの隙間を手間ひまをかけ磨いていた。
【発明の開示】
【発明が解決しようとする課題】
【０００３】その為に次の様な問題点があった。
歯ブラシだけでは、歯と歯の隙間はきれいには磨けず、またインプラントの場合、方式によっては構造上できる歯の部分と歯茎の間の隙間に挟まった、食べかす、汚れなどを落とすのに歯医者の指示により、歯間ブラシを使用するのだが、奥に行くに従い使いにくく、歯と歯の間はそれぞれに隙間の間隔が違うため、歯間ブラシのサイズの変更も必要になり、また爪楊枝などを使用しなければ成らない場合などもあった。
本発明は以上の問題点を解決しようとする為になされたものである。
【課題を解決する為の手段】
【０００４】風呂などのシャワーホースの流水さき、先端部にワンタッチコネクターを取り付け、この部分に先端から水など噴出する構造を設けた取り付け部分を繋ぎ、その先端部噴出口より噴出させた水流により、インプラントの方式にも拠るが、インプラントの構造上できる歯と歯茎の間にできる隙間、また歯と歯の隙間などの食べかす、及び汚れなどを洗い流し落す。
以上を特徴とする歯の隙間の食べかす、汚れなどを除去し清潔をたもつ為の器具である。
【発明の効果】
【０００５】本発明は食べ物を口にした後に歯と歯の間、インプラントの方式にも拠るが、インプラントの構造上できる歯と歯茎の隙間などの食べ物のかけら、食べかす、汚れを効率的に洗い流すことが出来る。従って手間をかけて歯と歯の隙間を１箇所１箇所歯間ブラシ、爪楊枝などできれいにする必要がなく、煩わしさがなく楽である。
【発明を実施するための最良の形態】
【０００６】（イ）風呂等のシャワーホース流出先先端部（１）にワンタッチコネクター（２）を取り付ける。
（ロ）ワンタッチコネクター（２）に先端部に水などが噴出する構造を有するコネクター取り付け部分（３）をつなげる。
本発明は以上の構成よりなっている。
本発明を使用するときは、シャワーホースのバルブを開き、先端部より噴出する水流により、インプラントの方式にも拠るが、構造上できる歯と歯茎の間の隙間等の食べ物のかけら、歯と歯のあいだの食べかす、また汚れ、を洗い流す事ができる。身体を洗い流すときは、シャワーホースのバルブを閉じて、ワンタッチコネクター部（２）より水流噴出部分（３）を取り外し風呂シャワー噴出部のコネクター接続部分を（２）に繋げばシャワーに簡単に変更できる。
【図面の簡単な説明】
【０００７】
【図１】本発明の使用状態を示す斜視図
【図２】本発明の分解斜視図
【符号の説明】
【０００８】１  シャワーホース
２  ワンタッチコネクター
３  水流噴出部
４  水流噴出口
５  ワンタッチコネクター接続部
【図１】
2017064342.tif 000003
【図２】
2017064342.tif 000004
(57)【要約】【課題】  本発明は、眉を描くときや整えるときに左右対称の美しいデザインが簡単に描けるスタンプ型の眉を描く器具で、眉のスタンプができる化粧器具を提供する。【解決手段】  透明のスタンプ土台（２）に眉型（１）を設ける。以上を特徴とするスタンプ型の眉を描く器具で、眉のスタンプができる化粧器具。【選択図】図１
2017064346.tif 000002
【特許請求の範囲】
【請求項１】
透明のスタンプ土台（２）に眉型（１）を設ける。
以上を特徴とするスタンプ型の眉を描く器具で、眉のスタンプができる化粧器具。
【発明の詳細な説明】
【技術分野】
【０００１】  本発明は、眉を描くときや整えるときに左右対称の美しいデザインが簡単に描けるスタンプ型の眉を描く器具で、眉のスタンプができる化粧器具に関するものである。
【背景技術】
【０００２】  従来、眉毛を描く器具は、ペンシル型のものが多くスタンプ式のものは無かった。
眉を描く時の補助器具としてテンプレート型やフレーム型のものがあるが、使用が困難なうえ時間がかかり、また衛生的に保管できる器具もなかった。
【先行技術文献】
【特許文献】
【０００３】
【特許文献１】特開平１１−１８８３３号公報
【発明の概要】
【発明が解決しようとする課題】
【０００４】  これは次のような欠点があった。
従来、眉を描く際の器具はペンシルタイプである為、眉を左右対称に美しく描く事が困難だった。
眉毛をカットする際も眉の形が分からず、剃り落としたり、左右非対称になる事があり、眉毛を好みのデザインに仕上げることが困難だった。
眉を描く補助器具として、プレートに眉の型抜きがしてあり、眉毛にあてペンシル型のアイブロウでなぞるという器具があるが、これまでの眉を描く補助器具同様、一般には使いにくく、使用する際に両手を使わないといけない為、眉を美しく描くための時間がかかった。
それらの眉を描く補助器具は、眉の色素の濃さが調節しにくく、微妙なグラデーションで立体感を表現するのが困難だった。
また、眉を描く補助器具の使用後は、アイブロウの色素が付着するので、毎回綺麗に拭きとる手間があり、そのまま放置すると保管が不衛生だった。
本発明は、これらの問題点を解決するためになされたものである。
【課題を解決するための手段】
【０００５】  透明のスタンプ土台（２）に眉型（１）を設ける。
以上を特徴とするスタンプ型の眉を描く器具で、眉のスタンプができる化粧器具である。
【発明の効果】
【０００６】  眉を描く器具をスタンプ型にし、眉のスタンプができることにより誰でも一瞬で左右対称の美しい眉毛が描けるようになる。
スタンプ土台（２）が透明なことにより、自分の眉頭に眉型（１）の眉頭を合わせる事ができるので、眉のデザインを確認する事ができる。
眉毛カットの際も、スタンプで形を付け、それに合わせて眉毛を剃ったりカットしたりできるので、男女問わず使用できる。
眉にスタンプを押した後、ペンシル型の眉用アイブロウでなぞり整えると色素のグラデーションも可能で、より美しい立体的な眉に仕上がる。
本発明の収納には図４のような専用のケースがあり、使用後は専用ケースに収納する。携帯が可能な為、何処でも使う事ができる。また、眉スタンプの紛失もなく清潔に保管することができる。
【図面の簡単な説明】
【０００７】
【図１】本発明の斜視図である。
【図２】本発明の平面図である。
【図３】本発明の使用時の説明図である。
【図４】本発明の専用ケース収納の説明図である。
【発明を実施するための形態】
【０００８】  以下、本発明の実施の形態について説明する。
透明のスタンプ土台（２）に眉型（１）を設ける。
本発明は以上のような構造である。
これを使用するには、
透明のスタンプ土台（２）を片手で持ち、自分の眉毛の眉頭と眉型（１）の眉頭を合わせ、顔に似合う眉を選択し、眉の角度や左右の高さのバランスを確認する。
眉型（１）に眉を描くための色素を付着させ、図３のように眉毛にあてる。
自分の眉毛上に眉スタンプをつけ、圧力をかけ離す。
もう片方の眉毛も同様に眉をスタンプする。
スタンプ後はお好みで、ペンシル型のアイブロウでなぞり整え、色の調節を行う。
眉毛カットの際は、スタンプをした後、周りの毛を剃ったりカットをしたりする。
使用後は図４のように専用ケースに収納し保管する。
【符号の説明】
【０００９】１  スタンプ眉型
２  スタンプ土台
３  右眉用スタンプ
４  左眉用スタンプ
５  眉スタンプ専用ケース
【図１】
2017064346.tif 000003
【図２】
2017064346.tif 000004
【図３】
2017064346.tif 000005
【図４】
2017064346.tif 000006
(57)【要約】【課題】  本発明は、直方体の木枠の中に、「へん」と「つくり」を分離した駒を作り、一ヵ所の空白を利用して、動かしながら「へん」と「つくり」を合体させて、漢字を完成させていく漢字づくりのパズルを提供する。【解決手段】  「へん」と「つくり」で構成された漢字を「へん」と「「つくり」に分解し、一つの駒に、それぞれ、「へん」と「つくり」を書き、そして、直方体の形をした木枠の中に入れ、バラバラに配置された駒を、一ヵ所の空白を利用して動かしながら「へん」と「つくり」を合体させて全部の漢字を完成させていくようにしたことを特徴とした漢字パズル。【選択図】図１
2017064344.tif 000002
【特許請求の範囲】
【請求項１】
「へん」と「つくり」で構成された漢字を「へん」と「つくり」に分解し、一つの駒にそれぞれ、「へん」と「つくり」を書き、そして、直方体の形をした木枠の中に「へんとつくり」をバラバラに配置した駒を、一ヵ所の空白を利用して動かしながら「へん」と「つくり」を合体させて全部の漢字を完成させていくようにしたことを特徴とする漢字パズル。
【発明の詳細な説明】
【技術分野】
【０００１】  この発明は、直方体の木枠の中に、「へん」と「つくり」を分離した駒を作り、一ヵ所の空白を利用して、動かしながら「へん」の駒と「つくり」の駒を合体させて、漢字を完成させていく、へんとつくりの漢字パズルに関するものである。
【背景技術】
【０００２】  従来、数字を動かしながら順番に並べていく遊び具があった。
また、漢字を様々な形に分解して、それらを組み合わせて漢字を完成させていくゲーム的な著作物がみられた。
たとえば、一つの漢字を構成要素に分解した部品を組み合わせて漢字が構成できるような問題を作り、学習者が操作入力をして完成させることで学習効果を高めようとする漢字パズルのゲームプログラムが提案されている（特許文献１参照）。
【先行技術文献】
【特許文献】
【０００３】
【特許文献１】  特開２００７−１９０２５２号公報
【発明の概要】
【発明が解決しようとする課題】
【０００４】  本来、漢字は、書いて覚えることが大事だが、子どもにとっては、漢字を書くことが面白くないので飽きてしまうことが多い。
コンピューターを使った漢字パズルでは、様々な構成要素を分解して組み合わせることが可能である。
しかし、コンピューターで画面を見ながら構成を組み合わせる方法は、視覚から入った映像を、マウスを動かす指だけの操作で完成させるため、知識のみを重視する学習になりやすい。
そのため、実物を使って動かすスリルや面白さがない。
本発明は、以上のような欠点をなくすために考えたものである。
【課題を解決するための手段】
【０００５】  「へん」と「つくり」で構成された漢字を「へん」の駒と「つくり」の駒に分解し、一つの駒に、それぞれ、「へん」と「つくり」を書き、そして、直方体の形をした木枠の中に「へん」の駒と「つくり」の駒をバラバラに配置し、一ヵ所の空白を利用して動かしながら「へん」の駒と「つくり」の駒を合体させて全部の漢字を完成させていくようにしたことを特徴とする漢字パズル。
【発明の効果】
【０００６】  この漢字パズルは、単に知識を増やすというより、遊びながら漢字つくりを楽しむことに重点を置いている。
とくに、実物の物を使って、手や指を動かすことで創造性に富んだ脳の働きを育てたり、友達と関わって楽しむことで、人間関係を育てたりすることに役立つものである。
【図面の簡単な説明】
【０００７】
【図１】  本発明の全体を示した平面図である。
【図２】  ａは、本発明の駒の表面を示した説明図である。ｂは、本発明の駒の裏面を示した説明図である。
【図３】  ａは、本発明の直方体の木枠の説明図である。ｂは、本発明のへんとつくりの駒の説明図である。
【発明を実施するための形態】
【０００８】  漢字を「へん」と「つくり」に分解し、一つの駒に、それぞれ「へん」と「つくり」を書いておく。
次に、その駒を入れる直方体の木枠（１）を作る。
直方体の木枠（１）の中に「へん」の駒（２）、「つくり」の駒（３）をバラバラにして入れておく。
二つの駒で、一セットの漢字ができるので、全体の中では、一つの駒は、何も書かず、もう一つの駒の部分は動けるスペースのために空白とする。
その空白部分を利用して、バラバラに配置されている「へん」の駒（２）と「つくり」の駒（３）を動かしながら漢字を完成させていく。
一つの漢字が完成しても、次の漢字を作っていくと、できた漢字を何回も動かさないと次の漢字ができないことがあるので、全体の動きを考えながら完成させていく必要がある。
遊び方として、それぞれの駒には、表面だけでなく、裏面にも「へん」と「つくり」が書かれているので、色をつけて、表裏を全部変えて遊ぶか、色を付けずに、一組、二組、三組と少しずつ変えて遊んだりすることができる。
また、友達と遊ぶときは、何分でできるか、タイムを競いながら行うとゲーム感覚で楽しく遊ぶことができる。
【符号の説明】
【０００９】    １  直方体の木枠
２  「へん」の駒
３  「つくり」の駒
４  空白部分
【図１】
2017064344.tif 000003
【図２】
2017064344.tif 000004
【図３】
2017064344.tif 000005
(57)【要約】【課題】本発明は弾性力を持ったゴムバンドを腕部、腰部、胸部、脚部に巻回し、運動機能の衰えた筋力の補助具として活用する運動機能支援用具である。【解決手段】使用者の脚に巻きつけて使用する運動機能支援用具であって、該運動機能支援用具は弾性力を有する長尺の本体部１を備え、該本体部１は、少なくとも両端部に環状部４が構成され、該環状部４の一方側に使用者の腰部に系止される固定用のフック２が設けられていることを特徴とする。運動機能支援用具。【選択図】図１
2017064336.tif 000002
【特許請求の範囲】
【請求項１】
使用者の脚に巻きつけて使用する運動機能支援用具であって、該運動機能支援用具は弾性力を有する長尺の本体部１を備え、該本体部１は、少なくとも両端部に環状部４が構成され、該環状部４の一方側に使用者の腰部に系止される固定用のフック２が設けられていることを特徴とする。運動機能支援用具。
【請求項２】
前記足固定部の一端は、足首よりつま先側に固定する環状部４を備えた構造であることを特徴とする請求項１に記載の運動機能支援用具。
【請求項３】
前記固定用フック２は、腰のベルトやベルト通しへ引っ掛けて固定することができる構造であることを特徴とする請求項１に記載の運動機能支援用具。
【発明の詳細な説明】
【技術分野】
【０００１】  本発明は、運動機能の衰えた筋力の補助具として活用する運動機能支援用具に関するものである。
【背景技術】
【０００２】  従来から歩行補助装置として、特許文献１に開示の技術が知られている。この歩行補助装置は、使用者の足に装着する足装具と、足装具に連結され腰に装着する装置と、大腿部に設けた駆動部などからなる機械式のもので、着床時や離床時において、バネによって足を中立に位置にもどす復元力を与えることで歩行支援をするものである。
【先行技術文献】
【特許文献】
【０００３】
【特許文献１】特開２０１０−１１０３８１号公報
【発明の概要】
【発明が解決しようとする課題】
【０００４】  従来のような歩行補助装置は、全体構造が複雑な機構からなる上、装着に不便であるという問題点があった。この発明は、簡単な構造で脚力の補助ができ且つ装着しやすい運動機能支援用具を提供することを目的とする。
【課題を解決するための手段】
【０００５】  使用者の脚に巻きつけて使用する運動機能支援用具であって、該運動機能支援用具は弾性力を有する長尺の本体部１を備え、該本体部１は、少なくとも両端部に環状部４が構成され、該環状部４の一方側に使用者の腰部に系止される固定用のフック２が設けられていることを特徴とする。
【実施例】
【０００６】  本発明に係る運動機能支援用具図１は、使用者の脚に取り付けて固定する足固定部４と、当該足固定部４にその一端が連結する長尺の弾性部材１と、当該弾性部材の他端が連結し且つ使用者の体の脚より上の部分に装着する装着部とからなる。【０００７】  また、本発明に係る運動機能支援用具は、上記発明において、前記足固定部は、足首よりつま先側に固定する環状部４を備えた構造である。【０００８】  また、本発明に係る運動機能支援用具は、上記発明において、前記足固定部は、脚に巻き付けるバンド状部材からなり、バンド状部材のうち足の裏に対応する部分に非可とう性部材からなる位置固定部を設けたものである。【０００９】  また、本発明に係る運動機能支援用具は、長尺の弾性部材１と、前記弾性部材の一端を連結する連結手段２と、前記弾性部材の他端が連結し且つ使用者の体の脚より上の部分に装着する装着部とからなる。【００１０】  また、本発明に係る運動機能支援用具は、上記発明において、前記弾性部材１はゴムからなり、全体の弾性力を調整可能である。【００１１】  また、本発明に係る運動機能支援用具は、上記発明において、図２に示すように前記装着部２は、腰のベルトやベルト通しへ引っ掛けて固定して係止可能であり、且つ、前記弾性部材の他端を係止可能である。
【図面の簡単な説明】
【００１２】
【図１】この発明の実施の形態１に掛かる運動機能支援用具を示す構成図である。
【図２】この運動機能支援用具の使用方法を示す説明図である。
【図１】
2017064336.tif 000003
【図２】
2017064336.tif 000004
(57)【要約】【課題】本発明は、手が足先に届かない人でもひとりで靴下の着用が出来る靴下着用補助具を提供する。  従来、靴下の開口部を棒の先端に固定して引っ張り上げる補助具があったが、つま先は履けるが、かかとから足首へと進むにしたがって足と靴下との摩擦面積が大きくなるため履くのが困難であった。また、長い柄のついたヘラ状のものに靴下をかぶせて柄を引き上げる補助具はかかとの屈曲にうまくヘラが沿わず履くのが困難であった。【解決手段】基部の上部にゴム紐保持板を数本設け、ゴム紐保持板の先端にゴム紐通し穴を設け、ゴム紐を複数の回転球の穴とゴム紐通し穴に通して環を形成し、基部の側面には柄を設けたことを特徴とする靴下着用補助具。【選択図】図１
2017064337.tif 000002
【特許請求の範囲】
【請求項１】
基部（１）の上部に数本のゴム紐保持板（２）を設け、ゴム紐保持板（２）の上側端部にゴム紐通し穴（３）を設け、貫通穴を有する球または円筒状の回転球（５）複数個の穴とゴム紐通し穴（３）に伸縮性を有するゴム紐等を通して環状を形成した靴下着用補助具。
【発明の詳細な説明】
【技術分野】
【０００１】  本発明は、膝が充分に曲げられず手が足先に届かない人でもひとりで靴下の着用が出来る靴下着用補助具に関するものである。
【背景技術】
【０００２】  従来、靴下の開口部を棒の先端に固定して棒の他端を引っ張る補助具や、柄の長いヘラ状のものに靴下をかぶせて柄を引きながら足を靴下に挿入する補助具があった。
【先行技術文献】
【０００３】
【特許文献１】特開２０００−３１６７００号公報
【特許文献２】特開２００６−１０２４４３号公報
【発明の概要】
【発明が解決しようとする課題】
【０００４】  靴下の開口部を棒の先端に固定して引っ張り上げるとつま先は履けるが、かかとから足首へと進むにしたがって足と靴下との摩擦面積が大きくなるため履くのが困難であった。また、ヘラ状のものを使うとかかとの屈曲にうまくヘラが沿わず履くのが困難であった。
本発明は、以上の問題点を解決するためになされたものである。
【課題を解決するための手段】
【０００５】  基部の上部にゴム紐保持板を数本設け、ゴム紐保持板の先端にゴム紐通し穴を設け、ゴム紐を複数の回転球の穴とゴム紐通し穴に通して環を形成し、基部の側面には柄を設ける。
以上の構成よりなる靴下着用補助具。
【発明の効果】
【０００６】  靴下に足を挿入するにしたがって回転球が回転し靴下を送り出すので無理な力がいらない。また、ゴム紐が足の形に沿って自由に変形できるのでかかとの屈曲にも対応できる。
【図面の簡単な説明】
【０００７】
【図１】本発明の斜視図
【図２】ガイド筒の斜視図
【図３】ガイド筒をセットした状態の斜視図
【図４】靴下をセットした状態の斜視図
【図５】本発明の使用状態を示す断面図
【図６】本発明の使用状態（始め）を示す斜視図
【図７】本発明の使用状態（途中）を示す斜視図
【図８】本発明の使用状態（終り）を示す斜視図
【発明を実施するための形態】
【０００８】  以下、本発明の実施の形態を説明する。
（イ）ポリプロピレン等の素材を用いて円筒形の基部（１）と、その上部に等間隔で１０本程度のゴム紐保持板（２）を垂直に設け、本体を形成する。このときゴム紐保持板長側（８）とゴム紐保持板短側（９）で３ｃｍ程度落差がつく様に配置する。
（ロ）ゴム紐保持板（２）の上側端部にゴム紐通し穴（３）を設け、中心を貫通する穴を有する回転球（５）を各ゴム紐保持板（２）の間に２個程度ずつ配置する様にゴム紐通し穴（３）と回転球（５）の穴にゴム紐（４）を通し、足の先が入る程度の環を形成する。
（ハ）基部（１）の外側面の相対する２箇所に柄（６）の一端を垂直に沿わす様に設ける。
本発明は、以上のような構造である。
本発明を使用するときは、回転球（５）が形成する環の中にガイド筒（７）を挿入し、その上から靴下（１０）を裏返しにかぶせる。このときゴム紐保持板長側（８）が靴下（１０）のかかと側になる様にかぶせる。両手で各柄（６）を持ち、靴下つま先部（１１）につま先を挿入する。柄（６）を引寄せながら足を次第に奥へ挿入する。かかとは太くなるので柄（６）を前後に数回動かしながら引寄せるとよい。
【符号の説明】
【０００９】１基部、２ゴム紐保持板、３ゴム紐通し穴、４ゴム紐、５回転球、６柄、７ガイド筒
８ゴム紐保持板長側、９ゴム紐保持板短側、１０靴下、１１靴下つま先部
【図１】
2017064337.tif 000003
【図２】
2017064337.tif 000004
【図３】
2017064337.tif 000005
【図４】
2017064337.tif 000006
【図５】
2017064337.tif 000007
【図６】
2017064337.tif 000008
【図７】
2017064337.tif 000009
【図８】
2017064337.tif 000010